(57)【要約】【課題】貯留槽から破砕室への臭気の漏れ出しを簡素な構成により効果的に防止し、室内に設置可能であり、使い勝手の良好なディスポーザ装置を提供する。【解決手段】水と共に投入される生ゴミを破砕する破砕室22と、この破砕室22に搬送管25を介して連通された貯留槽３とを備え、破砕室22から搬送管25を経て水と共に送り込まれる破砕ゴミを貯留槽３に一旦貯留するディスポーザ装置において、貯留槽３の内部への搬送管25の延出端に上部を枢軸として揺動する弁板４を取付け、この弁板４が搬送管25の延出端に設けた座面に着座して搬送管25の開口端を塞ぎ、貯留槽３から破砕室22への臭気の漏れ出しを防止する構成とする。【選択図】図１
2007209901.tif 000002
【特許請求の範囲】
【請求項１】
水と共に投入される生ゴミを破砕する破砕室と、該破砕室に搬送管を介して連通された貯留槽とを備え、前記破砕室から前記搬送管を経て前記水と共に送り込まれる破砕ゴミを前記貯留槽に一旦貯留し、該貯留槽から外部に送り出す構成としてあるディスポーザ装置において、
前記貯留槽の内部への前記搬送管の延出端に取付けてあり、上部を枢軸とする揺動により前記延出端の開口を開閉する弁板を備えることを特徴とするディスポーザ装置。
【請求項２】
前記延出端を上側が後退するように斜めに切り落とし、前記開口の閉止時に前記弁板が着座する座面を形成してある請求項１記載のディスポーザ装置。
【請求項３】
前記弁板は、前記開口の開放時に前記搬送管から送出される前記水及び破砕ゴミを下方に案内するガイド部を備える請求項１又は請求項２記載のディスポーザ装置。
【発明の詳細な説明】
【技術分野】
【０００１】
本発明は、水と共に投入される生ゴミを破砕し、例えば、有機物を分解処理する処理槽に送り出すように構成されたディスポーザ装置に関する。
【背景技術】
【０００２】
近年、一般家庭、飲食店等の厨房に発生する生ゴミの処理を目的とした生ゴミ処理機が種々提案されている。この種の生ゴミ処理機の一つとして、適量の処理水を貯留する処理の内部に生ゴミを導入し、前記処理水中に生息する微生物（食品発酵菌、酵母菌等）の活動により分解処理するように構成されたウェット式の生ゴミ処理機がある（例えば、特許文献１、２参照）。この種の生ゴミ処理機においては、生ゴミを前処理するためのディスポーザ装置を付設し、このディスポーザ装置により生ゴミを破砕して前記処理槽に導入することにより高い処理能力を得ることができ、例えば、学校、会社の食堂、大規模飲食店等、処理要求量が多い業務用として有用である。
【０００３】
ディスポーザ装置は、破砕室の内部に投入される生ゴミを、この破砕室の底部にて回転する破砕刃の作用により破砕し、同時に投入される水と混合して搬送管を経て送り出す公知の装置である。特許文献２に開示された生ゴミ処理機においては、前記破砕室の一側に搬送管を介して連設された貯留槽を備え、破砕室にて破砕された破砕ゴミを、水と共に貯留槽に一旦貯留しておき、この貯留槽内に設けた送出ポンプの間欠的な動作により昇圧して送り出し、離れた位置に設けられた処理槽の内部に確実に送り込むようにしている。
【特許文献１】特開２００２−３３６８３０号公報
【特許文献２】特開２０００−３５４８９８号公報
【発明の開示】
【発明が解決しようとする課題】
【０００４】
ところが、このように構成されたディスポーザ装置においては、破砕室に連設された貯留槽の内部に、送出ポンプによる処理槽への送り出しの後にも破砕ゴミを含む水が残るため、この残留ゴミが発生する臭気が搬送管により連通された破砕室に漏れ出し、更に、前記破砕室への投入口から外部に漏れ出す虞れがある。ディスポーザ装置は、厨房等の室内に設置されるのが一般的であるため、前述の如く漏れ出す臭気が室内に漂い、周辺環境の悪化をもたらすという問題が発生する。
【０００５】
この問題は、ディスポーザ装置を室外設置することにより緩和され、また生ゴミの投入口に蓋を設けることによって緩和されるが、前者においては、室内に発生する生ゴミを室外に運ぶ手間を要し、また後者においては、生ゴミの投入機会毎に前記蓋を開閉操作する手間を強いることとなって、使い勝手が悪いという問題がある。
【０００６】
本発明は斯かる事情に鑑みてなされたものであり、貯留槽から破砕室への臭気の漏れ出しを簡素な構成により効果的に防止することができ、破砕室の投入口を塞ぐことなく室内に設置可能であり、使い勝手の良好なディスポーザ装置を提供することを目的とする。
【０００７】
また本発明の他の目的は、臭気の漏れ止めのための構成により、搬送管により搬送される破砕ゴミ及び水を貯留槽の内部の所望の位置に導くためのガイド手段を兼用し、貯留槽から外部への送り出しを良好に行わせ得るディスポーザ装置を提供することにある。
【課題を解決するための手段】
【０００８】
本発明に係るディスポーザ装置は、水と共に投入される生ゴミを破砕する破砕室と、該破砕室に搬送管を介して連通された貯留槽とを備え、前記破砕室から前記搬送管を経て前記水と共に送り込まれる破砕ゴミを前記貯留槽に一旦貯留し、該貯留槽から外部に送り出す構成としてあるディスポーザ装置において、前記貯留槽の内部への前記搬送管の延出端に取付けてあり、上部を枢軸とする揺動により前記延出端の開口を開閉する弁板を備えることを特徴とする。
【０００９】
本発明においては、破砕室から貯留槽に延びる搬送管の先端開口部に、上部を枢軸とする揺動により開閉する弁板を取付け、この弁板が、通常時に自重により閉止して搬送管の先端開口部を塞ぎ、貯留槽の内部搬送管内への進入を阻止して、この臭気の外部への漏れ出しを防止する。破砕ゴミの送り込みに際して弁板は、搬送管内部の水及び破砕ゴミの作用により、内側から押し開けられる。
【００１０】
また本発明に係るディスポーザ装置は、前記延出端を上側が後退するように斜めに切り落とし、前記開口の閉止時に前記弁板が着座する座面を形成してあることを特徴とする。      
【００１１】
この発明においては、閉止時に弁板が着座する座面を、搬送管の延出端を斜めに切り落として形成し、弁板を自重により座面に密に着座させて、搬送管の端部開口を確実に閉止して臭気の漏れ出しを一層確実に防止する。
【００１２】
更に本発明に係るディスポーザ装置は、前記弁板が、前記開口の開放時に前記搬送管から送出される前記水及び破砕ゴミを下方に案内するガイド部を備えることを特徴とする。      
【００１３】
この発明においては、水と共に搬送される破砕ゴミにより搬送管の内部から押し開けられる弁板にガイド部を設け、搬送管の端部開口から送りだされる破砕ゴミを下方に案内して、貯留槽内部の望ましい位置に導く。
【発明の効果】
【００１４】
本発明に係るディスポーザ装置においては、上部を枢軸として揺動する弁板を貯留槽内への搬送管の延出端に取付けたから、破砕室から貯留槽に延びる搬送管の先端の開口を簡易な構成により確実に閉止し、搬送管を経て生じる貯留槽の内部臭気の漏れ出しを効果的に防止することができ、臭気に煩わされることなく室内設置が可能となって、良好な使い勝手が得られる。
【００１５】
また本発明に係るディスポーザ装置においては、閉止時に弁板が着座する座面を、搬送管の延出端を上部が後退するように切り落として形成したから、弁板の自重を利用して一層確実な閉止状態を得て、貯留槽の内部臭気の漏れ出しを、より効果的に防止することが可能となる。
【００１６】
更に本発明に係るディスポーザ装置においては、搬送管から送出される水及び破砕ゴミを弁板に設けたガイド部により下方に案内するから、貯留槽の内部への破砕ゴミの落下位置を適宜に設定することができ、例えば、貯留槽からの外部への送り出しを確実に行わせることが可能となる等、本発明は優れた効果を奏する。
【発明を実施するための最良の形態】
【００１７】
以下本発明をその実施の形態を示す図面に基づいて詳述する。図１は、本発明に係るディスポーザ装置の縦断面図であり、矩形箱形をなす外筐１の内部を縦割りして形成された破砕槽２と貯留槽３とを備えている。
【００１８】
破砕槽２は、上部の略全面に亘って開口する生ゴミの投入口20を備えており、この投入口20には、下部中央に向けて縮径する投入シュート21が連設されている。また破砕槽２の内部には、有底筒形の中空室として構成された破砕室22が、底部に取付けた破砕モータ23を支持脚とし、開口を上向きとして固定支持されており、該破砕室22の上部開口には、前記投入シュート21の下端部が嵌着されている。
【００１９】
前記破砕モータ23のモータ軸は、破砕室22の底部中央に適長突設されており、このモータ軸には、上面に刃を備える破砕刃24が、破砕モータ23からの伝動により水平面内での回転可能に取付けてある。また破砕室22の底部には、周面の接線方向に延びる搬送管25が、破砕刃24の回転域の下位置に連設されており、この搬送管25は、破砕槽２の一側に並設された前記貯留槽３の内部に後述の如く延長されている。
【００２０】
貯留槽３は、矩形の筐体であり、該貯留槽３の底板の略中央には、水中ポンプを用いてなる送出ポンプ30が、下面に開口する図示しない吸込口を前記底板から適長離して固定されている。この送出ポンプ30の吐出管31は、貯留槽３の底板から上方に離れた位置にて一側壁を貫通して貯留槽３の外部に延長されており、逆流防止用の逆止弁32を介して送出管33に連結されている。
【００２１】
このような貯留槽３の内部には、破砕槽２との間の隔壁を貫通して前記搬送管25が延出されており、この延出端の開口に本願発明の特徴となる弁板４が取付けてある。図２は、弁板４の取付け部近傍の拡大図である。
【００２２】
弁板４は、図示の如く、搬送管25の延出端部の上部外側に立設されたブラケット41に略水平をなす支軸42を介して支持し、この支軸42を枢軸として上下に揺動自在に取付けてある。また搬送管25の延出端は、上側が後退するように斜めに切り落とされ、延出端部の開口を縁取るテーパ状の座面43（図３参照）が形成されている。
【００２３】
図２には、組み付け時の状態が示されている。弁板４は、搬送管25の延出端に設けた前記座面43を覆い得る大きさを有する平板であり、組み付け時には、自重により下動した図示の揺動位置にあり、このとき、前記座面43の全面に着座し、該座面43が設けられた搬送管25の端部開口を閉止する作用をなす。前述の如く座面43は、搬送管25の端部を斜めに切り落として形成されているから、閉止位置にある弁板４は、図中に矢符により示す如く、重心Ｇに下方に向けて加わる自重Ｗの作用により座面43に押し付けられて密に着座することとなり、搬送管25の端部開口を確実に閉止することができる。
【００２４】
更に弁板４の下部は、図示の如く、座面43への着座域を超えて延長されており、この延長端縁、即ち、支軸42による支持部から離れた側の端縁は、座面43への着座面の側に適宜に屈曲成形され、後述する作用をなすガイド部44が設けてある。
【００２５】
また貯留槽３と破砕槽２との間の隔壁には、２つの逆止弁５，６が、搬送管25の貫通部よりも上位置に上下に並べて取付けてある。これらの逆止弁５，６は、夫々の位置にて貯留層３と破砕槽２とを連通する管状のハウジング50，60と、これらの内部に上縁を枢軸として揺動可能に取付けた板状の弁体51，61とを備える公知の構成を有しており、一方向への流れは、この流れの作用により夫々の弁体51，61が各別のハウジング50，60の内部に設けた管軸と直交する座面に押し付けられることにより遮断し、他方向の流れは、この流れの作用により夫々の座面から弁体51，61が離反することにより許容する動作をなす。
【００２６】
２つの逆止弁５，６は、夫々が逆向きの流れを遮断するように互いに向きを変えて取付けてある。図示の場合、下に位置する逆止弁５は、破砕槽２から貯留槽３に向かう流れを遮断し、上に位置する逆止弁６は、貯留槽３から破砕槽２に向かう流れを遮断するように取り付けてある。なお、吐出管31と送出管33との間に介装された逆止弁32も、逆止弁５，６と同様の構成を有しており、送出管33から吐出管31へ向かう流れ、即ち、貯留槽３への逆流を遮断するように取付けてある。
【００２７】
このように取付けられた逆止弁５，６は、通常時には閉止状態にあり、貯留槽３の内外を気密に封止する作用をなし、貯留槽３の内部に正圧又は負圧が発生したとき、夫々の弁体51，61が各別の座面から離反した開放状態となり、内外間の通気を許容して、貯留槽３の内外の圧力差を平衡させる作用をなす。なお図１においては、弁体51，61の存在を明示するために、２つの逆止弁５，６を共に開放状態としてあるが、このように２つの逆止弁５，６が同時に開放されることはない。また、吐出管31と送出管33との間に介装された逆止弁32も同様に開放状態として示してある。
【００２８】
以上の如く構成されたディスポーザ装置は、例えば、図示しない運転スイッチのオン操作により破砕モータ23を回転駆動し、該破砕モータ23からの伝動により破砕室22の内部にて破砕刃24を回転せしめておき、この状態で破砕槽２の上部に開設された投入口20に、処理対象となる生ゴミを投入して使用される。またこのとき投入口20には、生ゴミの投入と同時に、例えば、図１中に略示する水道の蛇口７から適量の水が給水される。
【００２９】
投入口20に投入された生ゴミは、該投入口20に連設された投入シュート21の傾斜に沿って案内され、前記水と共に破砕室22内に落下して回転する破砕刃24に当たり、該破砕刃24の作用により細かく破砕されて、破砕刃24の回転に伴う遠心力の作用により外周に飛ばされ、前記水と混合されて搬送管25の内部を流れて貯留槽３に向けて搬送される。このように水と共に搬送される破砕ゴミは、貯留槽３の内部への搬送管25の延出端に達し、この延出端に前述の如く取り付けられた弁板４を、図２中に白抜矢符により示す如く内側から押圧する。
【００３０】
図３は、弁板４の動作説明図である。前述の如く取付けられた弁板４は、搬送管25の内側から押圧力が加えられた場合、図３に示すように、上部の支軸42を枢軸として上方に揺動し、搬送管25の延出端に設けた座面43から離反する。この離反により、搬送管25の延出端部が開放されるから、水と共に搬送管25中を搬送される破砕ゴミは、搬送管25の端部開口から貯留槽３の内部に導入される。
【００３１】
開放された弁板４は、破砕ゴミによる内側からの押し上げ力と自重との力バランスに応じて傾斜し、図３に示すような開放角度を保ち、搬送管25の端部開口から水と共に導入される破砕ゴミは、白抜矢符により示す如く、弁板４の下面に沿って向きを変えて貯留槽３の内部に落下し、該貯留槽３の内部に貯留される。弁板４は、支軸42から離れた側の端縁に前述の如く屈曲成形されたガイド部44を有しており、このガイド部44は、図３に示す開放姿勢となる弁板４の先端において下方に向き、水及び破砕ゴミの流れを下方に導くガイド作用をなす。
【００３２】
このようにガイドされる水及び破砕ゴミの落下位置は、弁板４の開放角度と、この弁板４に対するガイド部44の屈曲角度とに応じて適宜に設定することができる。弁板４の開放角度は、破砕ゴミによる押圧力と弁板４の自重とに基づいて大まかに推定することができるから、ガイド部44の形成態様（角度及び幅）を適宜に設定することにより貯留槽３の内部への破砕ゴミの落下位置を調整することができる。これにより、例えば、送出ポンプ30の吸込口近傍に破砕ゴミを集中的に落下させ、該送出ポンプ30による後述する吸込みを良好に行わせることが可能となり、また送出ポンプ30の頭部に破砕ゴミが落下し、長期に亘って残留する虞れを回避することも可能となる。
【００３３】
図４は、弁板４の他の実施の形態を示す動作説明図である。本図に示す弁板４は、端縁にガイド部44を有していない単純な平板であり、図３に示す弁板４よりも小さい開放角度を有するように寸法設定（自重、サイズ）されている。この実施の形態においても、搬送管25の端部開口から水と共に導出される破砕ゴミは、弁板４の下面に案内されて向きを変え、図中に白抜矢符により示す如く下方に落下して貯留槽３に導入されるから、開放角度の適正な設定により落下位置を適正に保つことができる。
【００３４】
なお、この構成においては、弁板４の開放角度のみにより定まる落下位置の設定精度が低く、また小さい開放角度を有する弁板４が、水及び破砕ゴミの導入時における抵抗となり、破砕室22内にて回転する破砕刃24の負荷が増大する虞れがあり、図１〜図３に示すように形成されたガイド部44を備えるのが望ましい。
【００３５】
破砕ゴミの導入が終了した後の弁板４は、自重の作用により支軸42を枢軸として下方に揺動し、図２に示す閉止位置に戻る。このとき弁板４は、前述の如く、搬送管25の延出端を斜めに切り落として形成された座面43に密に着座するから、搬送管25による貯留槽３と破砕室22との連通が確実に遮断される。
【００３６】
従って本発明に係るディスポーザ装置においては、貯留槽３の内部に貯留された破砕ゴミが発生する臭気が搬送管25を経て破砕室22に漏れ出し、更に、投入口20に連設された投入シュート21の上部開口から周辺に漏れ出す虞れを軽微に抑えることができ、臭気の漏れ出しによる周辺環境の悪化を招来することなく室内に設置して使用することが可能となって、良好な使い勝手が得られる。また貯留槽３の内部に延出された搬送管25の先端に弁板４を取り付けるだけの簡素な構成により目的を達成することができる。
【００３７】
貯留槽３内に貯留された破砕ゴミは、水と共に送出ポンプ30に吸込まれて昇圧され、吐出管31及び逆止弁32を経て送出管33に導入され、該送出管33を経て図示しない処理槽に送り込まれて分解処理される。送出ポンプ30は、例えば、貯留槽３の内水位が所定レベルになったとき所定時間駆動され、貯留ゴミを送り出すように構成されている。
【００３８】
このとき、弁板４に設けたガイド部44の前述した作用により、送出ポンプ30の吸込口近傍に破砕ゴミを集中させることができ、また、図示の如く内部水面上に突出する送出ポンプ30の頭部に破砕ゴミが落下する虞れを回避することができるから、送出ポンプ30の駆動による破砕ゴミの送り出しを確実に行わせることが可能である。
【００３９】
なお、送出ポンプ30が駆動された場合、貯留槽３の内部に内水位の低下に伴う負圧が発生し、逆に搬送管25から破砕ゴミが導入された場合、貯留槽３の内部に内水位の上昇に伴う正圧が発生する。図示のディスポーザ装置は、逆止弁５，６を備えており、上部の逆止弁６は、前記負圧の発生時に開放状態となり、また下部の逆止弁５は、前記正圧の発生時に開放状態となって、前述の如く貯留槽３の内外の圧力差を平衡させる作用をなすから、貯留槽３からの破砕ゴミの送り出しが、これに伴って発生する負圧の作用により阻害される虞れはなく、また貯留槽３への破砕ゴミの導入が、これに伴って発生する正圧の作用により阻害される虞れもない。
【図面の簡単な説明】
【００４０】
【図１】本発明に係るディスポーザ装置の縦断面図である。
【図２】弁板の取付け部近傍の拡大図である。
【図３】弁板の動作説明図である。
【図４】弁板の他の実施の形態を示す動作説明図である。
【符号の説明】
【００４１】
２    破砕槽
３    貯留槽
４    弁板
20    破砕室
24    破砕刃
25    搬送管
42    支軸
43    座面
44    ガイド部
【図１】
2007209901.tif 000003
【図２】
2007209901.tif 000004
【図３】
2007209901.tif 000005
【図４】
2007209901.tif 000006